(57)【要約】【課題】本発明は、インスタントフィルムシートが複数枚積層されて収容されたインスタントフィルムパックが装填されるパック室を備え、そのパック室に装填されたインスタントフィルムパックに収納されたインスタントフィルムシートの搬送とそのインスタントフィルムシートへの画像記録とを行なう画像記録装置に関し、部品コストの低減化、高精度化を図る。【解決手段】一対の搬送ローラ３５，３６を収容して保持する搬送ローラ保持部３７１を構成する樹脂部品３４０と、一対の展開ローラ３５，３６を収容して保持する展開ローラ保持部３１１を構成する樹脂部品３３０を互いに別体の部品として構成して相互に固定する。【選択図】        図９
2006078842.tif 000002
【特許請求の範囲】
【請求項１】
露光され現像剤の展開を受けることにより画像が記録される画像記録部と該画像記録部よりも搬送方向前端側に設けられた現像剤溜りとを有するインスタントフィルムシートが複数枚積層されて収容されたインスタントフィルムパックが装填されるパック室を備え、該パック室に装填されたインスタントフィルムパックに収納されたインスタントフィルムシートの搬送と該インスタントフィルムシートへの画像記録とを行なう画像記録装置において、
前記パック室に装填されたインスタントフィルムパックから１枚取り出されたインスタントフィルムシートを搬送する搬送ローラと、
前記搬送ローラによる搬送途中のインスタントフィルムシートを露光する露光部と、
前記搬送ローラよりも搬送方向下流側に配備され搬送されてきたインスタントフィルムシートの現像剤溜りを潰して前記画像記録部に現像剤を展開する展開ローラと、
前記搬送ローラを収容して保持する搬送ローラ保持部と、
前記展開ローラを収容して保持する、前記搬送ローラ保持部を構成する第１部品とは別体の第２部品で構成されるとともに該第２部品が該第１部品に固定されてなる展開ローラ保持部とを備えたことを特徴とする画像記録装置。
【請求項２】
前記第１部品は、前記搬送ローラ保持部を構成する部品であるとともに前記パック室を構成する部品であることを特徴とする請求項１記載の画像記録装置。
【請求項３】
前記搬送ローラと前記展開ローラとの間に位置し、搬送途中のインスタントフィルムシートに接して現像剤の展開を制御する制御板を備え、該制御板が前記第２部品に固定されたものであることを特徴とする請求項１記載の画像記録装置。
【発明の詳細な説明】
【技術分野】
【０００１】
本発明は、インスタントフィルムシートが複数枚積層されて収容されたインスタントフィルムパックが装填されるパック室を備え、そのパック室に装填されたインスタントフィルムパックに収納されたインスタントフィルムシートの搬送とそのインスタントフィルムシートへの画像記録とを行なう画像記録装置に関する。
【背景技術】
【０００２】
従来より、上述した画像記録装置として、インスタントフィルムシート上に画像を記録するプリンタが知られている。このようなプリンタには、インスタントフィルムシートが複数枚重ねられて収容されたインスタントフィルムパックが装填されるパック室と、パック室を開閉自在に覆うフィルムドアと、装填されているインスタントフィルムパック内の残存枚数を表示する表示部とが備えられている。インスタントフィルムシート上に画像を記録するには、パック室内のインスタントフィルムシートのうちの１枚目のインスタントフィルムシートをクロー（爪）で掻き上げて一対の搬送ローラで挟んで搬送し、そのインスタントフィルムシートにレッド（Ｒ），グリーン（Ｇ），ブルー（Ｂ）の発光色を持つ発光素子からの３つの色光を循環的に照射して潜像を書き込み、さらにそのインスタントフィルムシートが有する現像剤溜りを一対の展開ローラで押し潰して現像剤を展開することにより行なう（例えば、特許文献１参照）。
【特許文献１】特開２００２−２２１７６１号公報
【発明の開示】
【発明が解決しようとする課題】
【０００３】
上記の特許文献１に開示されたプリンタには一対の搬送ローラと一対の展開ローラとの合計４本のローラが備えられており、それら４本のローラを組み込む為の部品は、それらのローラやそれらのローラを押えるバネの保持のための構造が複雑になり、その部品を製作するための金型も複雑となりコスト的にも不利である。
【０００４】
また、プリンタ全体の小型化が要請されており、このため径の小さいローラを使用する必要があり、搬送ローラと展開ローラとの間隙も狭める必要があり、現像剤をうまく展開するには極めて高い部品精度や組立精度が要求される。
【０００５】
本発明は、上記事情に鑑み、搬送ローラと展開ローラとを有するプリンタに関し、部品コストの低減化、高精度化が図られた画像記録装置を提供することを目的とする。
【課題を解決するための手段】
【０００６】
上記目的を達成する本発明の画像記録装置は、露光され現像剤の展開を受けることにより画像が記録される画像記録部とその画像記録部よりも搬送方向前端側に設けられた現像剤溜りとを有するインスタントフィルムシートが複数枚積層されて収容されたインスタントフィルムパックが装填されるパック室を備え、そのパック室に装填されたインスタントフィルムパックに収納されたインスタントフィルムシートの搬送とそのインスタントフィルムシートへの画像記録とを行なう画像記録装置において、
上記パック室に装填されたインスタントフィルムパックから１枚取り出されたインスタントフィルムシートを搬送する搬送ローラと、
搬送ローラによる搬送途中のインスタントフィルムシートを露光する露光部と、
搬送ローラよりも搬送方向下流側に配備され搬送されてきたインスタントフィルムシートの現像剤溜りを潰して上記画像記録部に現像剤を展開する展開ローラと、
搬送ローラを収容して保持する搬送ローラ保持部と、
展開ローラを収容して保持する、搬送ローラ保持部を構成する第１部品とは別体の第２部品で構成されるとともにその第２部品が第１部品に固定されてなる展開ローラ保持部とを備えたことを特徴とする。
【０００７】
本発明の画像記録装置は、搬送ローラ保持部を構成する第１部品と展開ローラ保持部を構成する第２部品を別々の部品として製作して相互に固定したものであり、部品の構造が簡素化され、部品コストの低減化が図られる。また、部品形状が複雑になることが防がれるため組立て後の精度が高められる。
【０００８】
ここで、本発明の画像記録装置において、上記第１部品は、搬送ローラ保持部を構成する部品であるとともにパック室を構成する部品であってもよい。
【０００９】
搬送ローラは展開ローラよりもパック室側に配備される。搬送ローラ保持部と展開ローラ保持部とを一体の部品として製造しようとすると、構造が複雑となり過ぎるが、搬送ローラ保持部とパック室とを組合せることには特段の問題はなく、１つの部品として構成することにより、その分、部品点数が削減される。
【００１０】
また本発明の画像記録装置において、搬送ローラと展開ローラとの間に位置し、搬送途中のインスタントフィルムシートに接して現像剤の展開を制御する制御板を備え、制御板が上記第２部品に固定されたものであってもよい。
【００１１】
上記のように搬送ローラ保持部と展開ローラ保持部を別部品で構成したため、搬送ローラと展開ローラとの間に現像剤の展開を制御する制御板を高い位置精度で備えることができ、現像剤の安定した展開が行なわれる。
【発明の効果】
【００１２】
以上説明したように、本発明によれば部品コストの低減化と組立ての高精度化が図られる。
【発明を実施するための最良の形態】
【００１３】
以下本発明の実施の形態について説明する。
【００１４】
図１は、本発明の画像記録装置の一実施形態であるプリンタを、斜め前方から見た斜視図である。
【００１５】
このプリンタ１は、携帯電話などと組み合わされて使用されるものであって、露光により潜像が形成された後現像剤が展開されて顕像化されるインスタントフィルムシートが複数枚（ここでは１０枚として説明する）積層されたインスタントフィルムパックがパック室に装填され、そのインスタントフィルムシートを画像データに応じて露光して外部に送り出しながらそのインスタントフィルムシートに現像剤を展開するものである。このインスタントフィルムシートが本発明にいう記録媒体の一例に相当する。
【００１６】
携帯電話にはＩｒＤＡ（Ｉｎｆｒａｒｅｄ  Ｄａｔａ  Ａｓｓｏｃｉａｔｉｏｎ）に準拠した赤外線通信を行なえるものがあり、この赤外線通信を使用して自分の持つ情報を他の情報機器へ送信することができ、カメラ付き携帯電話であれば、画像データをこのプリンタ１に送信することができる。このプリンタ１は、そのカメラ付き携帯電話で撮影された画像を表わす画像データまたはメールなどで携帯電話に送信されてきた画像データが赤外線通信を用いてこのプリンタ１に送信されてきたときに、その画像データに基づいてインスタントフィルムシート上に画像の記録を行なうものであり、さらにその送信された画像データに基づく画像の再記録を、携帯電話から再送信をわざわざ行なわなくても、後述するリピートスイッチを操作するという簡単な操作で別のインスタントフィルムシート上に行なえるものである。
【００１７】
このプリンタ１は、図１に示すように薄型で軽量かつ小型の構造を有する可搬型のプリンタであり、３Ｖ用の一次電池が２個内蔵される。このプリンタ１の筐体１ａ内にインスタントフィルムパックが装填され、そのインスタントフィルムパック内の、積層された１０枚のインスタントフィルムシート一枚一枚に画像の記録が行なわれる。
【００１８】
プリンタ１の筐体１ａの上面には操作ボタンとして、このプリンタ１の電源の投入および遮断を指示する電源スイッチ（以下、電源ＳＷと記述する）１１と、送信された画像データに基づく画像の再記録を行なうためのリピートスイッチ（以下、リピートＳＷと記述する）１２が設けられている。また、筐体１ａの上面には、インスタンフィルムシートの残り枚数を示すカウンタ１３が設けられている。このカウンタ１３は機械式のカウンタであり、詳細は後述するが、未使用のインスタントフィルムパックが装填されて電源が投入された時点では残り枚数が１０枚であることを示す数値‘１０’が表示される。以下、インスタントフィルムシートに画像の記録が行なわれる度に枚数が減算された残り枚数を示す数値が表示され、１０枚目のインスタントフィルムシートに画像の記録が行なわれると残り枚数が０枚であることを示す数値‘０’が表示される。
【００１９】
また、このプリンタ１の端部には、送受信部１４が備えられている。この送受信部１４は、前述した赤外線通信により送信されてきた画像データを受信するとともに、受信された旨を相手側に知らせるための信号を送信する。
【００２０】
さらに、このプリンタ１の筐体１ａには、電源が投入されると点灯するとともに赤外線通信時に点滅する電源用ＬＥＤ１５、赤外線通信においてエラーが発生すると点灯する通信エラー用ＬＥＤ１６、および内蔵された電池電圧が低下するとユーザに電池交換を促すために点灯するローバッテリ表示用のＬＥＤ１７が設けられている。
【００２１】
また、プリンタ１の側面には、そのプリンタ１の下面側に設けられた後述するフィルムドアを開放するためのフィルムドア開放スイッチ１８が備えられており、コーナー部にはストラップ取付部１ｂが備えられている。
【００２２】
図２は、図１に示すプリンタにおいて、カメラ付き携帯電話からの画像データに基づいて画像が記録されたインスタントフィルムシートが排出される様子を示す図である。
【００２３】
カメラ付き携帯電話２の赤外線通信部をプリンタ１の送受信部１４に向けた状態で、そのカメラ付き携帯電話２を操作して、カメラ付き携帯電話２で撮影された画像を表わす画像データを赤外線通信を用いてこのプリンタ１に送信する。プリンタ１は、赤外線通信により送信されてきた画像データを受信し、その受信した画像データに基づく潜像の記録を露光によりインスタントフィルムシート１００１上に行ないながら、そのインスタントフィルムシート１００１を現像しつつ、プリンタ１の送出口１９から外部へ徐々に排出する。その後、リピートＳＷ１２が操作されたときにも、その画像と同じ画像の再記録が別のインスタントフィルムシート上に行なわれる。
【００２４】
図３は、図１に示すプリンタの下面側を斜め上方から見た斜視図である。
【００２５】
このプリンタ１の下面側には、図１に示すフィルムドア開放スイッチ１８の操作により開放されるフィルムドア２０が設けられており、このフィルムドア２０が開けられ、インスタントフィルムパックがパック室に装填される。また、フィルムドア２０には、インスタントフィルムパックが装填されているか否かを確認するためのパック在否確認窓２０ａが設けられている。さらに、フィルムドア２０に隣接して、このプリンタ１の電源となる電池を実装するために開放される電池蓋２１も設けられている。
【００２６】
図４は、図３に示すプリンタの、フィルムドアが開けられた状態の斜視図である。
【００２７】
フィルムドア２０の内側には、前述したパック在否確認窓２０ａと、バネ部材２０ｂ，２０ｃが設けられており、これらのバネ部材２０ｂ，２０ｃによってインスタントフィルムパック内に積層されたインスタントフィルムシートがプリンタ１の上面側に押圧される。
【００２８】
また、プリンタ１には、インスタントフィルムパックを装填するためのパック室２２が設けられている。パック室２２外の、図４における右側には、搬送するインスタントフィルムシートに画像を書き込む画像書込部３００および媒体搬送展開部３０が設けられている。これら画像書込部３００および媒体搬送展開部３０の詳細については後述する。また、パック室２２内の、図４における下方には、インスタントフィルムシートを画像書込部３００および媒体搬送展開部３０側に送り出させるためのクロー（爪）２４が設けられている。このような構成によって、インスタントフィルムパック内のインスタントフィルムシートのうちの、プリンタ１の一番上面側にあるインスタントフィルムシートがクロー２４で掻き上げられて媒体搬送展開部３０で搬送されながら画像書込部３００で画像が書き込まれて現像される。
【００２９】
図５は、図４に示すプリンタの、筐体が取り外された状態の斜視図である。
【００３０】
図５には、直流モータ４０６と、その直流モータ４０６からの回転駆動力を後述する搬送ローラおよび展開ローラに伝達するギア列３９を備えた媒体搬送展開部３０が示されている。また、この図５には、パック室２２内に設けられたクロー２４、およびインスタントフィルムパックの装填により押圧される後述するカウンタレバーのリブ１３＿３ａも示されている。
【００３１】
図６は、筐体が取り外され、ただしギア列３９（図５参照）がカバーで覆われた状態の斜視図、図７は、同じ状態の平面図である。
【００３２】
図６、図７には、筐体に設けられた電池蓋２１（図３参照）の内側に配置される２つの一次電池４０７が示されており、また、パック室２２（図５参照）にインスタントフィルムパック２５が装填されている様子が示されている。図６、図７にはインスタントフィルムパック２５の背面が示されており、その背面には２つの開口２５ａ，２５ｂが形成されている。これらの開口２５ａ，２５ｂには、図４に示す、フィルムドア２０に設けられたバネ部材２０ｂ，２０ｃが入り込み、インスタントフィルムパック２５内に積層された状態で収容されているインスタントフィルムシートを前面側に押圧する。
【００３３】
また、媒体搬送展開部３０は、搬送ローラ保持部３７１と展開ローラ保持部３１１とを有する。搬送ローラ保持部３７１には、一対の搬送ローラ（後述する）が収容されて保持されており、バネ部材３５＿１により、一方の搬送ローラが他方の搬送ローラに向けて付勢されている。また、それと同様に、展開ローラ保持部３１１には、一対の展開ローラ（後述する）が収容されて保持されており、バネ部材３５＿２により、一方の展開ローラが他方の展開ローラに向けて付勢されている。
【００３４】
図８は、搬送ローラ保持部と展開ローラ保持部とを分離した状態を示す分解斜視図である。
【００３５】
搬送ローラ保持部３７１には、搬送ローラを収容して保持する樹脂部品が備えられており、この樹脂部品はインスタントフィルムパック２５が収容されるパック室２２（図５参照）も形成している。一方、展開ローラ保持部３１１には、搬送ローラ保持部３７１およびパック室２２を形成する樹脂部品とは別体の樹脂部品が備えられている。
【００３６】
展開ローラ保持部３１１は、この図８に示すように別体に構成されており、搬送ローラ保持部３７１にネジ止め固定される。すなわち、搬送ローラ保持部３７１には２つの位置決め用ボス３７４ａ，３７４ｂが設けられており、それら２つの位置決め用ボス３７４ａ，３７４ｂが展開ローラ保持部３１１の２つの位置決め用穴３１３ａ，３１３ｂに嵌入した状態に、展開ローラ保持部３１１が搬送ローラ保持部３７１に組み立てられ、２つのネジ３２１ａ，３２１ｂが、展開ローラ保持部３１１の取付穴３１４ａ，３１４ｂに挿入され搬送ローラ保持部３７１のネジ穴３７３ａ，３７３ｂにネジ止めされる。また、もう２つのネジ３２２ａ，３２２ｂが搬送ローラ保持部３７１の２つの取付穴３７５ａ，３７５ｂに挿入され、展開ローラ保持部３１１の２つのネジ穴３１４ａ，３１４ｂ（図１２〜図１４参照）にネジ止めされる。展開ローラ保持部３１１は、このようなネジ止めにより、搬送ローラ保持部３７１と一体化されている。
【００３７】
このように展開ローラ保持部３１１は、搬送ローラ保持部３７１とパック室２２とを構成する樹脂部品とは別体の樹脂部品に組み立てられているため、それらの樹脂部品の構造が簡単となり部品コストが抑えられている。また、搬送ローラ保持部３７１および展開ローラ保持部３１１は、それぞれをユニットとして組み立ててから展開ローラ保持部３１１を搬送ローラ保持部３７１に組立する構造であるため、それぞれのユニットの組立てが容易となりこの点でもコストの低減が図られている。さらに、それらの樹脂部品の形状が複雑になることが防がれており、組立後の精度も高められている。
【００３８】
図９は、搬送ローラ保持部および展開ローラ保持部をさらに分解して示した分解斜視図、図１０は搬送ローラ保持部を方向を変えて示した分解斜視図、および、図１１は、展開ローラ保持部の分解斜視図である。
【００３９】
図９、図１０に示すように、搬送ローラ保持部３７１を構成する樹脂部品３４０は、その搬送ローラ保持部３７１とパック室２２との双方を形成しており、また、図９、図１１に示すように、展開ローラ保持部３１１を構成する樹脂部品３３０は、搬送ローラ保持部３７１およびパック室２２を構成する樹脂部品３４０とは別体の樹脂部品３３０として構成されている。
【００４０】
ここで、図９、図１０に示すように、搬送ローラ保持部３７１には、一対の搬送ローラ３３，３４が組み込まれており、それら一対の搬送ローラ３３，３４のうちの一方の搬送ローラ３４が軸受部材３７５ａ，３７５ｂを介してバネ部材３５＿１により他方の搬送ローラ３３に向けて付勢されている。この一対の搬送ローラ３３，３４は、インスタントフィルムパック２５内から取り出されたインスタントフィルムシートの両側部を挟んで搬送する役割を担っている。
【００４１】
また、図９、図１１に示すように、展開ローラ保持部３１１には、一対の展開ローラ３５，３６が組み込まれており、それら一対の展開ローラ３５，３６のうちの一方の展開ローラ３６が、軸受部材３１５ａ，３１５ｂを介してバネ部材３５＿２により他方の展開ローラ３５に向けて付勢されている。この一対の展開ローラ３５，３６はインスタントフィルムシートの搬送方向前端部に設けられた現像剤溜り１００１ａ（図１６参照）を潰して、現像剤をそのインスタントフィルムシートに展開する役割を担っている。
【００４２】
搬送ローラ保持部３７１および展開ローラ保持部３１１は、それぞれのユニットが組み立てられた後、図８を参照して説明したようにして、４本のネジ３２１ａ，３２１ｂ，３２２ａ，３２２ｂにより、展開ローラ保持部３１１が搬送ローラ保持部３７１に固定される。
【００４３】
図１２は、図８に示す分解状態を図８に示す面とは反対側の面から示した分解斜視図、図１３は、展開ローラ保持部を図１２と同じ視点から見たときの拡大図、図１４は、図１３に示す展開ローラ保持部をさらに分解して示した斜視図である。
【００４４】
図１２に示すように、パック室２２（図９等参照）の裏面側には、機械式のカウンタを構成する文字板１３＿５や、その文字板１３＿５が初期位置にあるか否かを検出するフォトインタラプタであるＣＯＵＮＴＰＩ部４０３が備えられている。ただし、それらについての詳細は後述することとし、ここでは、展開ローラ保持部３１１について説明を続ける。
【００４５】
この展開ローラ保持部３１１には、制御板３５０が取り付けられている。図１４に示すように、この制御板３５０には、２つの取付穴３５１ａ，３５１ｂと、５つの位置決め穴３５２ａ，３５２ｂ，３５２ｃ，３５２ｄ，３５２ｅが設けられており、一方、展開ローラ保持部３１１を構成する樹脂部材３３０には、制御板３５０の２つの取付穴３５１ａ，３５１ｂに対応する位置に２つのネジ穴３３１ａ，３３１ｂが設けられるとともに、制御板３５０の５つの位置決め穴３５２ａ，３５２ｂ，３５２ｃ，３５２ｄ，３５２ｅに対応する位置に５つの位置決め用ボス３３２ａ，３３２ｂ，３３２ｃ，３３２ｄ，３３２ｅが設けられている。制御板３５０を樹脂部材３３０に固定するにあたっては、制御板３５０の５つの位置決め穴３５２ａ，３５２ｂ，３５２ｃ，３５２ｄ，３５２ｅに樹脂部材３３０の５つの位置決め用ボス３３２ａ，３３２ｂ，３３２ｃ，３３２ｄ，３３２ｅをそれぞれ嵌入させた状態に制御板３５０を配置し、２つのネジ３６１ａ，３６１ｂが２つの取付穴３５２ａ，３５２ｂに挿入されて２つのネジ穴３３１ａ，３３１ｂにネジ止めされる。このようにして、制御板３５０は樹脂部品３３０に対し高精度に位置決めされて固定される。この制御板３５０は、組立後は搬送ローラと展開ローラとの間に位置し、搬送中のインスタントフィルムシートに直接に接触してそのインスタントフィルムシートを撫でることにより、インスタントフィルムシートに展開される現像剤が満遍なく広がるように制御する役割りのものであり、インスタントフィルムシートに接触してそのインスタントフィルムシートを擦ることから、インスタントフィルムシートに傷が付かないよう、低摩擦のプラスチック材料で作られている。制御板３５０にはこのような特性を必要とすることから樹脂部品３３０とは別体の部品として構成し、樹脂部品３３０に取り付けている。
【００４６】
本実施形態では展開ローラ保持部３１１を構成する樹脂部品３３０を搬送ローラ保持部３７１を構成する樹脂部品３４０とは別体に構成したことから、搬送ローラと展開ローラとの間に制御板３５０を高精度に位置決めして配置することができる。
【００４７】
図１５は、プリンタ内部の制御系統を示す構成ブロック図である。
【００４８】
図１５の右端側には、図１に示すプリンタ１の模式図が示されており、この右端部を除く全域に、このプリンタ１の制御系統を示す構成が示されている。尚、図１５に示す矢印は、このプリンタ１における、制御系統を示す構成要素それぞれの配置関係を示す。
【００４９】
このプリンタ１には、メイン基板部１００と、サブ基板部２００と、画像書込部３００と、ＦＰＩ部４０１と、ＥＮＣＰＩ部４０２と、ＣＯＵＮＴＰＩ部４０３と、カムスイッチ４０４と、前述した送受信部１４に設けられたＩｒＤＡ送受信部４０５と、上述した直流モータ４０６とが備えられている。
【００５０】
サブ基板部２００には、前述した電源ＳＷ１１，リピートＳＷ１２、および表示用ＬＥＤ部２０１が備えられている。表示用ＬＥＤ部２０１には、前述した電源用ＬＥＤ１５，通信エラー用ＬＥＤ１６，ローバッテリ表示用のＬＥＤ１７、およびカウンタ１３の裏側に設けられたカウンタバックライト用のＬＥＤ（図示せず）が備えられている。
【００５１】
画像書込部３００には、光ガイドや液晶シャッタ（ＬＣＳ）等を有する光ヘッド部３０１と、その光ヘッド部３０１とメイン基板部１００とを接続するフレキシブルケーブル３０２，３０３と、フレキシブルケーブル３０３に実装されたレッド（Ｒ），グリーン（Ｇ），ブルー（Ｂ）の発光色を持つ発光素子（ＬＥＤ）３０４，３０５，３０６とが備えられている。この画像書込部３００は、搬送途中のインスタントフィルムシートに、書込指示パルスに同期して送受信部１４により受信した画像データに基づいて、ＬＥＤ３０４，３０５，３０６からのＲ，Ｇ，Ｂの３つの色光を循環的に照射することにより、そのインスタントフィルムシートに潜像を書き込む。また、プリンタ１には、３Ｖ用の一次電池４０７が２個内蔵される。
【００５２】
以下、メイン基板部１００について説明する。メイン基板部１００には、直列接続された一次電池４０７からの６Ｖの電源電圧ＶＢが印加される。このメイン基板部１００には、ＭＰＵ（Ｍｉｃｒｏ  Ｐｒｏｃｅｓｓｏｒ  Ｕｎｉｔ）１０１と、発振子１０２と、リセット回路１０３と、フラッシュメモリ（ＦＬＡＳＨ）１０４と、ＳＤＲＡＭ１０５とが備えられている。
【００５３】
ＭＰＵ１０１は、このプリンタ１の動作を統括的に制御する。
【００５４】
発振子１０２は、所定の周波数の発振信号を生成してＭＰＵ１０１に動作用のクロック信号として供給する。
【００５５】
リセット回路１０３は、ＭＰＵ１０１の初期化を行なうためのリセット信号を出力する。
【００５６】
フラッシュメモリ１０４は、不揮発性のメモリであり、このフラッシュメモリ１０４には、プリンタ１固有の機構等に依存して定まる固体差調整用の調整値等が記憶される。
【００５７】
ＳＤＲＡＭ１０５は、揮発性のメモリであり、このＳＤＲＡＭ１０５には、カメラ付き携帯電話２からの画像データ等が記憶される。
【００５８】
また、このメイン基板部１００には、６Ｖの電源電圧ＶＢを入力して、２．５Ｖの電圧を出力する電源部１０６、３．３Ｖの電圧を出力する電源部１０７、および１５Ｖの電圧を出力するＤＣ／ＤＣコンバータ１０８が備えられている。さらに、ＭＰＵ１０１からの指示を受けてこれら電源部１０６，１０７，ＤＣ／ＤＣコンバータ１０８を制御する電源制御部１０９も備えられている。ここで、２．５Ｖの電圧はＭＰＵ１０１に供給されるとともに３．３Ｖの電圧はＭＰＵ１０１以外の周辺回路に供給される。また、１５Ｖの電圧は、後述するＬＣＤ駆動用として用いられる。
【００５９】
このプリンタ１では、一次電池４０７の長寿命化を図るために、低消費電力モードであるスタンバイモードを有するＭＰＵ１０１を備え、電源ＳＷ１２が押された場合であっても、ＭＰＵ１０１は、初期処理が終了した時点でスタンバイモードとなる。この状態で外部から赤外線通信が行なわれると、スタンバイモードから通常の動作モードに移行してインスタントフィルムシートに画像を記録し、速やかに通常の動作モードからスタンバイモードに移行する。また、リピートＳＷ１２が押された場合もインスタントフィルムシートに画像を記録した後はスタンバイモードになる。さらに、ＭＰＵ１０１が、各部に対して必要な動作時のみ電力を供給するように、電源制御部１０９を介して電源部１０６，１０７，ＤＣ／ＤＣコンバータ１０８を制御する。このようにすることにより、内蔵された一次電池４０７で長期に渡ってこのプリンタ１を使用することができる。
【００６０】
さらに、メイン基板部１００には、ＢＣ部１１０と、ＴＰＧ部１１１と、温度検出部１１２と、発振子１１３と、ＩｒＤＡ／ＬＣＳ制御部１１４と、ヘッドＬＥＤ駆動部１１５とが備えられている。
【００６１】
ＢＣ部１１０は、一次電池４０７の電源電圧ＶＢが所定の値よりも低下したか否かをチェックする。ＭＰＵ１０１は、このチェック結果を参照して一次電池４０７の電源電圧ＶＢが所定の値よりも低下していると判定した場合は、ユーザに電池交換を促すためにローバッテリ表示用のＬＥＤ１７を点灯する。
【００６２】
ＴＰＧ部１１１は、ＤＣ／ＤＣコンバータ１０８から出力される１５Ｖの電圧をオン，オフする。
【００６３】
温度検出部１１２は、画像書込部３００の温度を検出する。ＭＰＵ１０１は、この温度検出部１１２からの検出信号に応じて光学ヘッド部３０１内の液晶シャッタの各シャッタ部のシャッタスピード等を制御する。
【００６４】
発振子１１３は、所定の周波数の発振信号を生成してＩｒＤＡ／ＬＣＳ制御部１１４に供給する。
【００６５】
ＩｒＤＡ／ＬＣＳ制御部１１４は、発振子１１３からの発振信号に基づいてＩｒＤＡ送受信部４０５および光ヘッド部３０１を制御する。ＩｒＤＡ送受信部４０５には赤外線通信を行なうための投光素子および受光素子が備えられており、ＩｒＤＡ／ＬＣＳ制御部１１４は、上記受光素子で光電変換されたデータをＭＰＵ１０１に送ったり、ＭＰＵ１０１からその旨を外部の機器に知らせるためのデータを上記投光素子経由で外部に送信したりする。また、ＩｒＤＡ／ＬＣＳ制御部１１４は、ＭＰＵ１０１からの指示に基づいて、フレキシブルケーブル３０２を介して光ヘッド部３０１に備えられた液晶シャッタを制御する。
【００６６】
ヘッドＬＥＤ駆動部１１５は、ＭＰＵ１０１の指示に基づいた電流を、フレキシブルケーブル３０３を経由してＬＥＤ３０４，３０５，３０６に流すことにより、それらＬＥＤ３０４，３０５，３０６を駆動する。
【００６７】
本実施形態のプリンタ１は、インスタントフィルムシートを直流モータ４０６で所定の副走査方向（インスタントフィルムシートが送り出される方向）に送りながら、そのインスタントフィルムシート上にその副走査方向に関しＲ，Ｇ，Ｂの３色の色について循環的に書き込むとともに、その副走査方向に交わる主走査方向については、その主走査方向に並ぶ全画素について、同時に同じ色の書き込みを行なうことにより、そのインスタントフィルムシート上にカラー画像を記録するプリンタである。
【００６８】
カラー画像を記録するにあたり、画像書込部３００を構成する光学ヘッド部３０１には、フレキシブルケーブル３０２を介してＩｒＤＡ／ＬＣＳ制御部１１４から画像データに応じた制御信号が供給される。この制御信号は光学ヘッド部３０１内の液晶シャッタの各シャッタ部のシャッタスピードを制御するものである。この各シャッタ部のシャッタスピードが画像データに応じて制御され、フレキシブルケーブル３０３に備えられたＬＥＤ３０４，３０５，３０６からのＲＧＢそれぞれに対応する光がインスタントフィルムシート上に照射され、インスタントフィルムシートの幅方向に多数の光点（ドット）からなる潜像が記録される。この幅方向つまり一次元的に各シャッタ部が配列されている方向が、主走査方向である。従って、この各シャッタ部が主走査方向に電子的に走査されて１ライン分の光点（全画素）がインスタントフィルムシート上に記録される。この光学ヘッド部３０１の電子走査によってインスタントフィルムシートの主走査方向に多数のドットからなる光点が記録される。また、上述したように、本実施形態では、直流モータ４０６によりインスタントフィルムシートが副走査方向に送られている。従って、副走査方向についても画像書込部３００によって多数のドット毎に光点が順次記録されていくこととなる。
【００６９】
さらに、メイン基板部１００には、ＰＩ駆動部１１６が備えられている。このＰＩ駆動部１１６は、ＦＰＩ部４０１，ＥＮＣＰＩ部４０２，ＣＯＵＮＴＰＩ部４０３を駆動する。ここで、ＦＰＩ部４０１，ＥＮＣＰＩ部４０２，ＣＯＵＮＴＰＩ部４０３について説明する。
【００７０】
ＦＰＩ部４０１は、インスタントフィルムシートの有無を検出するためのフォトインタラプタである。
【００７１】
ＥＮＣＰＩ部４０２は、直流モータ４０６の回転に同期したパルス列からなるエンコード信号を出力するためのフォトインタラプタである。
【００７２】
ＣＯＵＮＴＰＩ部４０３は、カウンタ１３の初期位置を検知するためのフォトインタラプタである。
【００７３】
また、メイン基板部１００には、カムスイッチ４０４が接続されている。このカムスイッチ４０４は、このプリンタ１の搬送機構における初期位置をモニタするためのスイッチである。
【００７４】
さらに、メイン基板部１００には、モータ駆動部１１７が備えられている。このモータ駆動部１１７は、ＭＰＵ１０１からの指示を受けて、ＥＮＣＰＩ部４０２から出力されたエンコード信号のパルス列の時間間隔が所定の時間間隔となるように直流モータ４０６の回転速度を制御する。
【００７５】
図１６は、インスタントフィルムシートの露光面を示す斜視図、図１７は、インスタントフィルムシートの観察面を示す斜視図である。
【００７６】
図１６には、インスタントフィルムシート１００１の露光面１００１＿１が示されている。この露光面１００１＿１には、インスタントフィルムシート１００１の搬送方向先端部に配備された現像剤溜り１００１ａと、画像が露光される露光部１００１ｂと、余白部１００１ｃと、余った現像剤を吸収するトラップ部１００１ｄとが設けられている。また、図１７には、インスタントフィルムシート１００１の観察面１００１＿２側が示されている。この観察面１００１＿２には、露光により潜像が形成され現像剤の展開を受けて顕像化された画像を観察するための観察部１００１ｅと、余白部１００１ｆが設けられている。
【００７７】
図１８は、媒体搬送展開部の断面図である。
【００７８】
媒体搬送展開部３０には、インスタントフィルムシート１００１の両側部を挟んでそのインスタントフィルムシート１００１を搬送する一対の搬送ローラ３１，３２が備えられている。搬送ローラ３２は、バネ部材３５＿１で搬送ローラ３１側に付勢されている。
【００７９】
また、媒体搬送展開部３０には、上記一対の搬送ローラ３１，３２よりもインスタントフィルムシート１００１の搬送方向下流側に配備され、そのインスタントフィルムシート１００１を全幅に亘って挟んで現像剤溜り１００１ａを押し潰して現像剤を展開する一対の展開ローラ３３，３４が備えられている。展開ローラ３４は、バネ部材３５＿２で展開ローラ３３側に付勢されている。
【００８０】
さらに、媒体搬送展開部３０には、搬送ローラ３１，３２と展開ローラ３３，３４との間に位置して展開中の現像剤を制御するための制御板３６，インスタントフィルムシート１００１を展開ローラ３３，３４へと案内するフィルムガイド３７と、インスタントフィルムシート１００１を外部に案内するためのフィルム案内フレーム３８が備えられている。また、インスタントフィルムパック２５の出口近傍には、画像書込部３００が設けられている。
【００８１】
本実施形態のプリンタ１は、インスタントフィルムパック２５内のインスタントフィルムシート１００１のうちの、プリンタ１の一番上面側にあるインスタントフィルムシート１００１を、所定の搬送開始点Ｐｓからクロー２４（図４、図５参照）で掻き上げて、搬送ローラ３１，３２で搬送しながら画像書込部３００で固定書込点Ｐｆにて画像を書き込み始める。さらに、このプリンタ１は、インスタントフィルムシート１００１に画像を書き込みながら搬送ローラ３１，３２でインスタントフィルムシート１００１を搬送し、展開ローラ３３，３４で現像剤溜り１００１ａを押し潰して現像剤を展開し、展開中の現像剤を制御板３６，フィルムガイド３７で制御して現像を行なって所定の搬送終了点Ｐｅまで搬送する。このようにして、１枚のインスタントフィルムシート１００１上に画像を記録する。
【００８２】
図１９は、本実施形態のプリンタを表面側から見た場合の、筐体が取り外された状態の斜視図、図２０は、図１９に示すプリンタに文字板が取付けられた状態の斜視図である。
【００８３】
このプリンタ１には、図１９に示すように、樹脂部品３４０（図９参照）からなる、パック室２２が内包された箱体５１と、その箱体５１の上面に配備されたカバー部材２７と、カウンタ１３を構成するカウンタ部１３＿１０とが設けられている。また、この図１９には、パック室２２を開閉自在に覆うフィルムドア２０が示されている。フィルムドア２０には、斜面部２０ｄ１を有するリブ２０ｄが立設されている。
【００８４】
カウンタ１３を構成するカウンタ部１３＿１０には、直流モータ４０６（図５参照）の回転駆動力を伝達するウォームギア３９＿１１を介して駆動するギア１３＿１が備えられている。ギア１３＿１の上部には、図２０に示す文字板１３＿５が載置される。この文字板１３＿５は、透かし文字からなる‘Ｓ’および‘１０‘〜‘０’を有する。また、文字板１３＿５の下部には、図示しないＬＥＤが配置されており、このＬＥＤで文字板１３＿５を裏から照射（バックライト）することにより、カウンタ１３の表示を見易くしている。尚、この図２０に示す文字板１３＿５は、図１に示すカウンタ１３の窓から数値‘８’が見える位置にある。また、この文字板１３＿５は、数値‘７’と数値‘８’の間に切欠１３＿５ａを有する。
【００８５】
未使用のインスタントフィルムパックには遮光板が備えられており、未使用のインスタントフィルムパックが装填された時点では、切欠１３＿５ａはＣＯＵＮＴＰＩ部４０３の監視場所に位置し、上記窓の場所には、その装填されたインスタントフィルムパックが未使用であることを示す透かし文字‘Ｓ’が位置している。ここで、電源が投入されると、ＣＯＵＮＴＰＩ部４０３で切欠１３＿５ａが検出され、これにより、前述したクロー（爪）により遮光板が開けられてインスタントフィルムシートが使用開始状態となり、さらにカウンタ１３が作動し文字板１３＿５が反時計方向に回転して残り枚数が１０枚であることを示す数値‘１０’がバックライト表示される。その後、インスタントフィルムシートに画像の記録が行なわれる度に枚数が減算された残り枚数を示す数値が表示され、１０枚目のインスタントフィルムシートに画像の記録が行なわれると残り枚数が０枚であることを示す数値‘０’がバックライト表示されることとなる。
【００８６】
また、カウンタ部１３＿１０には、ギア１３＿１を時計方向に付勢するバネ部材１３＿２と、先端部がギア１３＿１の歯に係合するカウンタレバー１３＿３と、一端がカウンタレバー１３＿３に保持されるとともに他端が部材２６に保持されてそのカウンタレバー１３＿３を付勢するバネ部材１３＿４とが備えられている。カウンタレバー１３＿３には、インスタントフィルムパックの装填により押圧されるリブ１３＿３ａと、フィルムドア２０に立設されたリブ２０ｄの斜面部２０ｄ１に案内される斜面部１３＿３ｂ１を有するリブ１３＿３ｂが備えられている。
【００８７】
上述したカウンタ部１３＿１０を備えたカウンタ１３は、パック室２２内に装填されたインスタントフィルムパック内のインスタントフィルムシートの搬送シーケンスに連動したカウント動作を行なうカウンタである。このカウンタ１３は、詳細は後述するが簡単な構成で実現することのできるラチェット式カウンタであり、このような機械式のカウンタを備えることにより、一次電池４０７が抜かれた場合であってもインスタントフィルムシート１００１の枚数を記憶しておくメモリを備える必要もない。
【００８８】
このカウンタ１３は、フィルムドア２０の開放とパック室２２内のインスタントフィルムパックの取出しとの双方があったときに、バネ部材１３＿４によりカウンタレバー１３＿３が矢印Ａ方向に回動して、そのカウンタレバー１３＿３の先端部がギア１３＿１の歯から外れ、これによりバネ部材１３＿２でギア１３＿１が初期状態にリセットされる。このようにすることにより、誤ってフィルムドア２０を一旦開け、誤りに気づいてそのまま閉じるという操作を行なった場合であってもカウンタ１３がリセットされることはなく、従って実際に撮影可能な残存フィルム枚数とカウンタ１３に表示された残存フィルム枚数とが異なってしまうという問題が解消される。
【００８９】
また、本実施形態のプリンタ１は、フィルムドア２０の閉とパック室２２内へのインスタントフィルムパックの装填とのいずれか一方があったときに、その後の搬送シーケンスに連動したカウント動作を行なうことのできる準備状態にセットされる。このため、例えばパック室２２内にインスタントフィルムパックが装填されていない状態でフィルムドア２０が閉じられた場合は、その後の搬送シーケンスに連動したカウント動作が行なわれることのできる準備状態にセットされる。具体的には、フィルムドア２０に立設されたリブ２０ｄの斜面部２０ｄ１が、カウンタレバー１３＿３に設けられたリブ１３＿３ｂの斜面部１３＿３ｂ１に案内されて、カウンタレバー１３＿３の先端部がギア１３＿１の歯に係合する。このような状態において、赤外線通信等を使用して一連のシーケンスを実行して動作確認を行なうことができる。
【００９０】
図２１は、図１９に示すプリンタの、インスタントフィルムパックが装填されてフィルムドアが閉じられた状態の断面図である。
【００９１】
図２１には、フィルムドア２０と、そのフィルムドア２０に設けられたリブ２０ｄと、カウンタレバー１３＿３と、そのカウンタレバー１３＿３に設けられたリブ１３＿３ｂとが示されている。また、複数枚のインスタントフィルムシート１００１が積層されたインスタントフィルムパック２５も示されている。ここでは、インスタントフィルムパック２５が装填されてフィルムドア２０が閉じられた状態にあり、このような状態では、フィルムドア２０のリブ２０ｄで、カウンタレバー１３＿３のリブ１３＿３ｂが押圧されているため、以下に説明する図２２に示すように、カウンタレバー１３＿３の先端部はギア１３＿１の歯に係合している。
【００９２】
図２２は、図１９に示すプリンタの、カバー部材を取り外した状態の平面図である。
【００９３】
図２２には、前述したカウンタ部１３＿１０と、矢印Ａ方向に回転するウォームギア３９＿１１と、そのウォームギア３９＿１１からの回転駆動力を受けて矢印Ｂ方向に回転する３回転カム６１と、３回転カム６１に連動して回転するギア６２と、そのギア６２に噛合して矢印Ｃ方向に回転するギア６３と、そのギア６３からの回転駆動力を受けて矢印Ｄ方向に回転する一回転カム６４とが示されている。ここで、一回転カム６４は、一回転することにより搬送の一連のシーケンスを完了させるカムであり、３回転カム６１が３回転すると一回転する。また、一回転カム６４の上部には、一連のシーケンスの初期位置をモニタするためのカムスイッチ４０４が載置されている。
【００９４】
さらに、図２２には、クロープレート６５と、このクロープレート６５を付勢するバネ部材６６が示されている。クロープレート６５には、クロー２４を案内するための直進ガイド溝６５ａと、バネ部材６６を保持する保持部材６５ｂが設けられている。
【００９５】
前述した図２１に示すように、インスタントフィルムパック２５が装填されてフィルムドア２０が閉じられた状態では、カウンタレバー１３＿３の先端部はギア１３＿１の歯に係合している。ここで、ウォームギア３９＿１１が矢印Ａ方向に回転すると、３回転カム６１が矢印Ｂ方向に回転して、クロープレート６５がウォームギア３９＿１１の方向に上昇を開始する。クロープレート６５が上昇を開始すると、そのクロープレート６５に設けられた直進ガイド溝６５ａに案内されてクロー２４が上昇する。これにより、インスタントフィルムシート１００１の掻き上げが開始される。また、３回転カム６１に連動してギア６２が回転し、このギア６２の回転駆動力がギア６３に伝達される。これにより、ギア６３が矢印Ｃ方向に回転する。このギア６３には爪６３ａが備えられており、この爪６３ａが、カウンタ１３のギア１３＿１の歯を下側に押すように働く。すると、ギア１３＿１が矢印Ｅ方向に回転し、カウンタレバー１３＿３の、ギア１３＿１の歯に係合している先端部がその歯を乗り越えて次の上側の歯に係合する。一連のシーケンスにおいては、このような動作が２回繰り返される。即ち、一連のシーケンスにおいては、カウンタ１３のギア１３＿１が２歯分だけ矢印Ｅ方向に回転する。これにより、文字板１３＿５が、その数値を１つだけ減算する方向に回動する。このようにして、インスタントフィルムシート１００１が排出される度にカウンタ１３の数値が１つづつ減算される。
【００９６】
ここで、カウンタ１３は、パック室２２に装填されたインスタントフィルムパック２５内のインスタントフィルムシートの露光面と向き合う面と同じ側の面に設置されている。プリンタ１の、インスタントフィルムシート１００１の露光面と向き合う面の面積は広く、このため面積制約が緩和された大きなカウンタ１３が実現されている。従って、インスタントフィルムシート１００１の残り枚数を示す数字は大きく、前述したバックライトによる文字板１３＿５の照射と相俟って見やすい表示が実現されている。
【００９７】
尚、本実施形態では、本発明の画像記録装置として、パック室に装填されている、媒体パック室内の記録媒体を１枚ずつ送り出し所定の搬送方向に搬送しながらその記録媒体を書き込むことによりその記録媒体上に画像を記録するプリンタの例で説明したが、本発明の画像記録装置は、これに限られるものではなく、媒体パック内の記録媒体は写真感光体であって、パック室に装填されている媒体パック室内の記録媒体上に写真撮影を行なって写真撮影後の記録媒体を送り出すカメラであってもよい。
【図面の簡単な説明】
【００９８】
【図１】本発明の画像記録装置の一実施形態であるプリンタを、斜め前方から見た斜視図である。
【図２】図１に示すプリンタにおいて、カメラ付き携帯電話からの画像データに基づいて画像が記録されたインスタントフィルムシートが排出される様子を示す図である。
【図３】図１に示すプリンタの下面側を斜め上方から見た斜視図である。
【図４】図３に示すプリンタの、フィルムドアが開けられた状態の斜視図である。
【図５】図４に示すプリンタの、筐体が取り外された状態の斜視図である。
【図６】筐体が取り外されギア列がカバーで覆われた状態の斜視図である。
【図７】筐体が取り外されギア列がカバーで覆われた状態の平面図である。
【図８】搬送ローラ保持部と展開ローラ保持部とを分離した状態を示す分解斜視図である。
【図９】搬送ローラ保持部および展開ローラ保持部をさらに分解して示した分解斜視図である。
【図１０】搬送ローラ保持部を方向を変えて示した分解斜視図である。
【図１１】展開ローラ保持部の分解斜視図である。
【図１２】図８に示す分解状態を図８に示す面とは反対側の面から示した分解斜視図である。
【図１３】展開ローラ保持部の拡大図である。
【図１４】図１３に示す展開ローラ保持部をさらに分解して示した斜視図である。
【図１５】プリンタ内部の制御系統を示す構成ブロック図である。
【図１６】インスタントフィルムシートの露光面を示す斜視図である。
【図１７】インスタントフィルムシートの観察面を示す斜視図である。
【図１８】媒体搬送展開部の断面図である。
【図１９】本実施形態のプリンタを表面側から見た場合の、筐体が取り外された状態の斜視図である。
【図２０】図１９に示すプリンタに文字板が取付けられた状態の斜視図である。
【図２１】図１９に示すプリンタの、フィルムドアが閉じられた状態の断面図である。
【図２２】図１９に示すプリンタの、カバー部材を取り外した状態の平面図である。
【符号の説明】
【００９９】
１  プリンタ
１ａ  筐体
１ｂ  ストラップ取付部
２  カメラ付き携帯電話
１１  電源スイッチ（電源ＳＷ）
１２  リピートスイッチ（リピートＳＷ）
１３  カウンタ
１３＿１，６２，６３  ギア
１３＿２，１３＿４，６６  バネ部材
１３＿３  カウンタレバー
１３＿３ａ，１３＿３ｂ，２０ｄ  リブ
１３＿３ｂ１，２０ｄ１  斜面部
１３＿５  文字板
１３＿５ａ  切欠
１３＿１０  カウンタ部
１４  送受信部
１５  電源用ＬＥＤ
１６  通信エラー用ＬＥＤ
１７  ローバッテリ表示用のＬＥＤ
１８  フィルムドア開放スイッチ
１９  送出口
２０  フィルムドア
２０ａ  パック在否確認窓
２０ｂ，２０ｃ，３５＿１，３５＿２，６６  バネ部材
２１  電池蓋
２２  パック室
２３  搬送ローラ
２４  クロー
２５  インスタントフィルムパック
２６  部材
２７  カバー部材
３０  媒体搬送展開部
３１，３２  搬送ローラ
３３，３４  展開ローラ
３６  制御板
３７  フィルムガイド
３８  フィルム案内フレーム
３９  ギア列
３９＿１１  ウォームギア
５１  箱体
６１  ３回転カム
６１ａ  係合部材
６３ａ  爪
６４  一回転カム
６５  クロープレート
６５ａ  直進ガイド溝
６５ｂ  保持部材
１００  メイン基板部
１０１  ＭＰＵ
１０２，１１３  発振子
１０３  リセット回路
１０４  フラッシュメモリ
１０５  ＳＤＲＡＭ
１０６，１０７  電源部
１０８  ＤＣ／ＤＣコンバータ
１０９  電源制御部
１１０  ＢＣ部
１１１  ＴＰＧ部
１１２  温度検出部
１１４  ＩｒＤＡ／ＬＣＳ制御部
１１５  ヘッドＬＥＤ駆動部
１１６  ＰＩ駆動部
１１７  モータ駆動部
２００  サブ基板部
２０１  表示用ＬＥＤ部
３００  画像書込部
３０１  光ヘッド部
３０２，３０３  フレキシブルケーブル
３０４，３０５，３０６  発光素子（ＬＥＤ）
３１１    展開ローラ保持部
３１３ａ，３１３ｂ    位置決め用穴
３１４ａ，３１４ｂ    取付穴
３１５ａ，３１５ｂ    軸受部材
３２１ａ，３２１ｂ，３２２ａ，３２２ｂ    ネジ
３３０，３４０    樹脂部品
３７１    搬送ローラ保持部
３７５ａ，３７５ｂ    軸受部材
４０１  ＦＰＩ部
４０２  ＥＮＣＰＩ部
４０３  ＣＯＵＮＴＰＩ部
４０４  カムスイッチ
４０５  ＩｒＤＡ送受信部
４０６  直流モータ
４０７  一次電池
１００１  インスタントフィルムシート
１００１＿１  露光面
１００１＿２  観察面
１００１ａ  現像剤溜まり
１００１ｂ  露光部
１００１ｃ，１００１ｆ  余白部
１００１ｄ  トラップ部
１００１ｅ  観察部
【図１】
2006078842.tif 000003
【図２】
2006078842.tif 000004
【図３】
2006078842.tif 000005
【図４】
2006078842.tif 000006
【図５】
2006078842.tif 000007
【図６】
2006078842.tif 000008
【図７】
2006078842.tif 000009
【図８】
2006078842.tif 000010
【図９】
2006078842.tif 000011
【図１０】
2006078842.tif 000012
【図１１】
2006078842.tif 000013
【図１２】
2006078842.tif 000014
【図１３】
2006078842.tif 000015
【図１４】
2006078842.tif 000016
【図１５】
2006078842.tif 000017
【図１６】
2006078842.tif 000018
【図１７】
2006078842.tif 000019
【図１８】
2006078842.tif 000020
【図１９】
2006078842.tif 000021
【図２０】
2006078842.tif 000022
【図２１】
2006078842.tif 000023
【図２２】
2006078842.tif 000024